(57)【要約】  容器用の可剥性ラベルは、固定ラベルと、固定ラベルの少なくとも一部に取り外し可能に取り付けられる取り外し可能ラベルと、を備える。第１固定構成が、取り外し可能ラベルの第１側に沿って形成され、第２固定構成が、取り外し可能ラベルの、第１側とは反対側の第２側に沿って形成される。第１固定構成および第２固定構成は、協働して、取り外し可能ラベルを円錐台形漏斗形状に保持する。【選択図】  図１
2015517680.tif 000002
【特許請求の範囲】
【請求項１】
容器用の可剥性ラベルであって、
固定ラベルと、
前記固定ラベルの少なくとも一部に取り外し可能に取り付けられる取り外し可能ラベルと、
前記取り外し可能ラベルの第１側に沿って形成された第１固定構成と、
前記取り外し可能ラベルの、前記第１側とは反対側の第２側に沿って形成された第２固定構成と
を備え、
前記第１固定構成および前記第２固定構成は、協働して、前記取り外し可能ラベルを円錐台形漏斗形状に保持する
可剥性ラベル。
【請求項２】
請求項１に記載の可剥性ラベルであって、
前記第１固定構成は、前記取り外し可能ラベルの、前記第１側に隣接した隅部によって形成されたタブである
可剥性ラベル。
【請求項３】
請求項１に記載の可剥性ラベルであって、
前記第１固定構成は、前記取り外し可能ラベルの前記第１側の少なくとも１つの切欠きによって形成されたタブである
可剥性ラベル。
【請求項４】
請求項３に記載の可剥性ラベルであって、
前記第２固定構成は、前記タブを受け入れて前記取り外し可能ラベルを前記円錐台形漏斗形状に固定するように構成された、角度をなしたスロットの形態である
可剥性ラベル。
【請求項５】
請求項１に記載の可剥性ラベルであって、
前記第１側と前記第２側との間を延在する、前記取り外し可能ラベルの第３側の少なくとも一部分は、半円形部分を有し、
前記半円形部分は、前記第１固定構成および前記第２固定構成が協働して前記漏斗を形成するときに該漏斗の円形の出口を形成する
可剥性ラベル。
【請求項６】
請求項５に記載の可剥性ラベルであって、
前記取り外し可能ラベルの、前記第３側とは反対側の第４側は、前記タブが前記スロット内に配置されたときに前記漏斗の開口部を形成し、
前記開口部は、前記円形の出口よりも大きい
可剥性ラベル。
【請求項７】
請求項５に記載の可剥性ラベルであって、
前記第３側の、半円形形状を有する前記一部分は、前記第３側の約２０％以上かつ約５０％以下を占める
可剥性ラベル。
【請求項８】
請求項５に記載の可剥性ラベルであって、
前記第３側は、更に、
前記第１側と前記半円形部分との間を延在する直線状セグメントと、
前記半円形部分と前記第２側との間を延在する、角度をなしたセグメントと
を備える可剥性ラベル。
【請求項９】
請求項１に記載の可剥性ラベルであって、
前記取り外し可能ラベルは、取り外し可能ラベル部分と、少なくとも１つの残留ラベル部分と、を備え、
前記残留ラベル部分は、前記固定ラベルに取り付けられ、ミシン目線によって前記取り外し可能ラベル部分に連結される
可剥性ラベル。
【請求項１０】
請求項９に記載の可剥性ラベルであって、
前記少なくとも１つの残留ラベル部分を前記取り外し可能ラベルから取り外すことによって、前記取り外し可能ラベル部分の、前記第１側と前記第２側との間を延在する第３側が形成される
可剥性ラベル。
【請求項１１】
請求項１０に記載の可剥性ラベルであって、
前記取り外し可能ラベルは、第２残留ラベル部分を備え、
前記第２残留ラベル部分は、前記取り外し可能ラベル部分から取り外されたときに、前記取り外し可能ラベル部分の、前記第３側とは反対側の第４側を形成する
可剥性ラベル。
【請求項１２】
請求項１１に記載の可剥性ラベルであって、
更に、前記取り外し可能ラベルから取り外されたときに前記タブを形成する第３残留ラベル部分を備える
可剥性ラベル。
【請求項１３】
請求項１２に記載の可剥性ラベルであって、
前記第１残留ラベル部分、前記第２残留ラベル部分および前記第３残留ラベル部分は、接着剤によって前記固定ラベルに取り付けられる
可剥性ラベル。
【請求項１４】
容器の可剥性ラベルを使用する方法であって、
前記容器に配置された固定ラベルを用意する工程と、
前記固定ラベルの少なくとも一部に取り外し可能に取り付けられた取り外し可能ラベルを用意する工程と、
前記取り外し可能ラベルの少なくとも一部を前記固定ラベルから取り外す工程と、
前記取り外し可能ラベル部分を操作し、円錐台形状にする工程と、
前記取り外し可能ラベル部分の第１側を、前記取り外し可能ラベル部分の、前記第１側とは反対側の第２側に固定し、前記第１側と前記第２側とを連結し、前記取り外し可能ラベルを前記円錐台形状に保持する工程と
を備える方法。
【請求項１５】
請求項１４に記載の方法であって、
前記固定工程は、前記取り外し可能ラベル部分の前記第１側および前記第２側のうちの一方から延在するタブを、前記取り外し可能ラベル部分に形成されたスロットに挿入する工程を備える
方法。
【請求項１６】
請求項１４に記載の方法であって、
前記取り外し可能ラベル部分の、前記第１側と前記第２側との間を延在する第３側の少なくとも一部は、半円形形状であり、
前記半円形形状は、前記円錐台形状にする工程中に第１開口部を形成し、
前記第１開口部を通って流体が前記漏斗から出ることができる
方法。
【請求項１７】
請求項１６に記載の方法であって、
更に、前記第１開口部を容器に隣接して配置する工程と、
前記漏斗の、前記第１開口部とは反対側の第２開口部に流体を注ぐ工程と
を備える方法。
【請求項１８】
請求項１４に記載の方法であって、
前記取り外し可能ラベル部分を前記固定ラベルから取り外す前記工程は、前記固定ラベルに取り付けられた少なくとも１つの残留ラベル部分から前記取り外し可能ラベルを分離する工程を備える
方法。
【請求項１９】
請求項１８に記載の方法であって、
前記分離工程は、前記取り外し可能ラベル部分と前記少なくとも１つの残留ラベル部分とを連結する１つ以上のミシン目を裂く工程を備える
方法。
【請求項２０】
容器用の可剥性ラベルであって、
固定ラベルと、
前記固定ラベルの少なくとも一部に取り外し可能に取り付けられる取り外し可能ラベルと
を備え、
前記取り外し可能ラベルは、
対向し、略平行な第１側縁部および第２側縁部と、
前記第１側縁部と前記第２の側縁部との間を延在する第３側縁部と
を備え、
前記第３側縁部の少なくとも一部分は、半円形形状を有し、
前記半円形形状は、前記取り外し可能ラベルが漏斗形状に形成されるときに、前記漏斗の出口を形成し、
前記取り外し可能ラベルは、更に、前記第１側縁部と前記第２側縁部との間を延在する第４側縁部であって、前記第３側縁部とは反対側の第４側縁部を備える
可剥性ラベル。
【請求項２１】
請求項２０に記載の可剥性ラベルであって、
前記第３側縁部の、半円形形状を有する前記一部分は、前記第３側縁部の約２０％以上かつ約５０％以下を占め、
前記第３側縁部は、更に、
前記第１側縁部と前記半円形部分との間を延在する直線状セグメントと、
前記半円形部分と前記第２側縁部との間を延在する、角度をなしたセグメントと
を備える可剥性ラベル。
【請求項２２】
容器用のラベルアセンブリであって、
前記容器に固定されるように構成された第１側と、第２側と、を有する固定ラベルと、
前記固定ラベルの少なくとも一部と重なるように位置決めされる取り外し可能ラベルと
を備え、
前記取り外し可能ラベルは、取り外し可能部分と残留部分とを有し、
前記残留部分は、前記固定ラベルの前記第２側に固定されるように構成されており、
前記取り外し可能部分は、前記残留部分に固定されるように構成されており、
前記取り外し可能部分は、スロットを有するように形成されており、
前記固定ラベルから離れる方向に前記取り外し可能部分を引っ張ることによって、前記取り外し可能部分が前記固定ラベルおよび前記残留部分から分離され、
前記取り外し可能部分は、前記取り外し可能ラベル部分を操作して円錐台形状にするときに前記スロットに挿入され得るタブを備える
ラベルアセンブリ。
【請求項２３】
請求項２２に記載のラベルアセンブリであって、
前記取り外し可能部分は、
略直線状の上縁部と、
第１側縁部および第２側縁部と、
略直線状セグメントと、半円形セグメントと、を有する下縁部と
を備えるラベルアセンブリ。
【請求項２４】
請求項２３に記載のラベルアセンブリであって、
前記半円形セグメントは、前記取り外し可能部分が漏斗形状に形成されるときに前記漏斗の出口開口部を形成する
ラベルアセンブリ。
【請求項２５】
請求項２２に記載のラベルアセンブリであって、
前記取り外し可能部分を取り外すことによって、前記固定ラベルの前記第２側に形成された印が露出される
ラベルアセンブリ。
【請求項２６】
請求項２５に記載のラベルアセンブリであって、
前記取り外し可能部分は、前記固定ラベルの前記第２側に形成された前記印と同様の印を備える
ラベルアセンブリ。
【請求項２７】
請求項２３に記載のラベルアセンブリであって、
前記取り外し可能部分が円錐台形状であるときに、前記直線状セグメントは前記第２側縁部と略平行である
ラベルアセンブリ。
【発明の詳細な説明】
【技術分野】
【０００１】
［０００１］本願は、２０１２年５月２日に出願された米国仮特許出願第６１／６４１，６２１号および２０１３年２月２２日に出願された米国仮特許出願第６１／７６８，１４８号の利益を主張するものである。出典を明示することにより、これらの出願は本明細書に組み入れられる。
【背景技術】
【０００２】
［０００２］本発明は、概して、可剥性ラベルに関し、更に詳細には、可剥性ラベルおよびその使用方法に関する。
【発明の概要】
【課題を解決するための手段】
【０００３】
［０００３］例示的な実施例では、容器用可剥性ラベルは、固定ラベルと、固定ラベルの少なくとも一部に取り外し可能に取り付けられた取り外し可能ラベルと、を備える。第１固定構成が、取り外し可能ラベルの第１側に沿って形成され、第２固定構成が、取り外し可能ラベルの、第１側とは反対側の第２側に沿って形成される。第１および第２の固定構成は、協働して、取り外し可能ラベルを円錐台形漏斗形状に保持する。
【０００４】
［０００４］例示的な実施例では、容器に配置された固定ラベルと、固定ラベルの少なくとも一部に取り外し可能に取り付けられた取り外し可能ラベルと、を有する可剥性ラベルの使用方法は、取り外し可能ラベルの少なくとも一部を固定ラベルの少なくとも一部から取り外す工程と、取り外し可能ラベルを操作し、漏斗を形成する工程と、を備える。この方法は、更に、取り外し可能ラベルの第１側を、取り外し可能ラベルの、第１側とは反対側の第２側に固定して、第１側と第２側とを連結し、取り外し可能ラベルを漏斗形態に保持する工程を備える。
【０００５】
［０００５］別の例示的な実施例によれば、容器用可剥性ラベルは、固定ラベルと取り外し可能ラベルとを備える。取り外し可能ラベルは、固定ラベルに取り付けられたままの残留部分と、固定ラベルから取り外し可能な取り外し可能部分と、を備える。取り外し可能ラベルの取り外し可能部分は、対向し略平行な第１側縁部および第２側縁部と、第１側縁部と第２側縁部との間を延在する第３側縁部と、を備える。第３側縁部の少なくとも一部は、取り外し可能部分が漏斗形状に形成されるときに漏斗の出口を形成する半円形形状を有する。取り外し可能部分は、更に、第１側縁部と第２側縁部との間を延在する第４測縁部であって、第３側縁部とは反対側の第４側縁部を備える。
【０００６】
［０００６］更に別の例示的な実施例によれば、容器用ラベルアセンブリは、第１側および第２側を有する固定ラベルを備える。第１側は、容器に固定されるように構成されている。取り外し可能ラベルは、固定ラベルの少なくとも一部と重なるように位置決めされる。取り外し可能ラベルは、取り外し可能部分および残留部分を有する。残留部分は、固定ラベルの第２側に固定されるように構成されており、取り外し可能部分は、残留部分に固定されるように構成されており、取り外し可能部分は、スロットを有するように形成される。固定ラベルから離れる方向に取り外し可能部分を引っ張ることによって、取り外し可能部分が固定ラベルおよび残留部分から分離される。取り外し可能部分は、取り外し可能ラベル部分を操作して円錐台形状にするときにスロットに挿入できるタブを備える。
【図面の簡単な説明】
【０００７】
【図１】［０００７］図１は、容器の正面図である。
【図２】［０００８］図２は、第１実施例としての可剥性ラベルを示す、図１の容器の背面図である。
【図３】［０００９］図３は、可剥性ラベルを容器の後壁から取り外す際の図１の容器の背面図である。
【図４】［００１０］図４は、可剥性ラベルを取り外した、図１の容器の背面図である。
【図５】［００１１］図５は、図１の容器から取り外した後の可剥性ラベルの斜視図である。
【図６】［００１２］図６は、丸めて漏斗を形成する際の可剥性ラベルの斜視図であり、更に、可剥性ラベルの縁部から取り外すことができる可剥性ストリップを示す。
【図７】［００１３］図７は、丸めて漏斗を完全に形成し、可剥性ストリップを取り外して、漏斗の縁部を自身に対してシールするシーリングテープを露出した後の可剥性ラベルの斜視図である。
【図８】［００１４］図８は、第２実施例としての可剥性ラベル備える容器を前方および側方から見た斜視図である。
【図９】［００１５］図９は、可剥性ラベルの一部を可剥性ラベルの残りの部分から取り外した状態の図８の容器および可剥性ラベルの分解図である。
【図１０】［００１６］図１０は、丸めて漏斗にした図８の可剥性ラベルを上方から見た斜視図である。
【図１１】［００１７］図１１は、丸めて漏斗にし、可剥性ラベルを漏斗形態に保持するために、可剥性ラベルのタブをスロットに挿入した後の図８の可剥性ラベルを上方から見た斜視図である。
【図１２】［００１８］図１２は、丸めて漏斗にし、可剥性ラベルを漏斗形態に保持するために、可剥性ラベルの隅部をスロットに挿入した後の第２実施例としての可剥性ラベルを上方から見た斜視図である。
【図１３】［００１９］図１３は、丸めて漏斗にしたときの可剥性ラベルの別の実施例を上方から見た斜視図である。
【０００８】
［００２０］本発明のその他の態様および利点は、同様の構造に同様のまたは類似した参照番号を付した以下の詳細な説明を読むことにより明らかになるであろう。
【発明を実施するための形態】
【０００９】
［００２１］本開示は、可剥性ラベルアセンブリに関する。本開示は、多くの様々な形態で実施されてもよいが、本明細書中において、本開示は、本開示の原理の一実施例に過ぎず、本開示を説明される実施例に限定しようとするものではないという理解のもと、１つの特定の実施例について説明する。
【００１０】
［００２２］図１および図２を参照すると、これらの図には、液体または他の流動性材料を保持するための容器２０が示してある。液体または他の流動性材料は、容器から注ぐことができる。液体または流動性材料は、モータオイル、不凍液、粒状物質、または、容器内に収容され、および／または、販売される任意の他の流動性材料であってもよい。容器２０は本体２２を備え、本体２２は、前壁２４と、後壁２６と、容器２０の頂部３０に隣接して前壁２４と後壁２６との間に配置されたハンドル２８と、液体を容器２０から注ぎ出すための開口部（図示せず）と、を備える。液体を容器２０内に封入するために、開口部に被せてキャップ３２が配置され得る。
【００１１】
［００２３］図２および図３でわかるように、可剥性ラベル３４は、容器２０の後壁２６に配置されるが、別の態様では、容器２０の任意の壁または領域に配置されていてもよい。可剥性ラベル３４は、容器２０の後壁２６に残留する固定ラベル３６と、容器２０の製造中に固定ラベル３６に取り付けられ、使用者によって固定ラベル３６から取り外される取り外し可能ラベル３８と、を備える（図３および図４参照）。固定ラベル３６は、接着剤または他の積層プロセスによって容器に貼り付けられる。取り外し可能ラベル３８の少なくとも一部は、接着強度が低い接着剤または感圧性接着剤を使用することによって固定ラベル３６に取り外し可能に固定され、これにより、取り外し可能ラベル３８を固定ラベル３６から引き剥がすことができる。取り外し可能ラベル３８は、縁部４８に沿って接着剤シーリングテープ５０を備えており、シーリングテープ５０は、剥離ライナ４６によって覆われている。
【００１２】
［００２４］取り外し可能ラベル３８を固定ラベル３６から取り外した後、図５でわかるように、使用者は、取り外し可能ラベル３８が固定ラベル３６に取り付けられていたときには外方に向けられていた取り外し可能ラベル３８の第１面４０が、使用者の手とは反対側に向けられ、第１面４０とは反対側の第２面４２が使用者の手と接触するように、ラベルを位置決めする。その後、使用者は、取り外し可能ラベル３８を図６でわかるように丸める。この状態では、第２面４２が、円錐台形状の漏斗４４の外側を形成する。
【００１３】
［００２５］使用者が所望の任意の方法で漏斗４４を形成した後、取り外し可能ラベル部分３８の縁部４８に沿って第２面４２に配置された剥離ライナ４６が取り外され、接着剤シーリングテープ５０が露出される。図７でわかるように、シーリングテープ５０は、取り外し可能ラベル部分３８の第２面４２に取り付けられ、漏斗４４が完成されて、漏斗４４が広がらないようにする。図６および図７でわかるように、漏斗４４を形成する方向は、ラベル３４の第２面４２もしくは任意の他の面または容器２０に形成され得る。
【００１４】
［００２６］第２実施例としての、容器１００に設けられた可剥性ラベル９８を図８に示す。容器１００は、液体または他の流動性材料を保持するためのものとして示されている。液体または他の流動性材料は、容器から注がれることができる。液体または流動性材料は、モータオイル、不凍液、粒状物質、または、容器内に収容され、および／または、販売される任意の他の流動性材料であってもよい。容器１００は、本体１０２を備え、本体１０２は、前壁１０４と、後壁１０６と、容器１００の頂部１１０に隣接して前壁１０４と後壁１０６との間に配置されたハンドル１０８と、液体を容器１００から注ぐための開口部（図示せず）と、を備える。液体を容器１００内に封入するために、開口部に被せてキャップ１１２が配置され得る。
【００１５】
［００２７］図８および図９でわかるように、可剥性ラベル９８は、容器１００の後壁１０６に配置されるが、別の態様では、容器１００の任意の壁または領域に配置されていてもよい。可剥性ラベル９８は、容器１００の後壁１０６に固定された固定ラベル１１６と、少なくとも一部が固定ラベル１１６に取り外し可能に固定された取り外し可能ラベル１１７と、を備える。取り外し可能ラベル１１７は、ポリマー材料または耐水性のコート紙で形成されていてもよい。取り外し可能ラベル１１７は、残留ラベル部分１１８ａ〜１１８ｃと、取り外し可能ラベル部分１２０と、を備える。残留ラベル部分１１８ａ〜１１８ｃは、使用者が取り外し可能ラベル１１７の取り外し可能ラベル部分１２０を固定ラベル１１６から取り外したときに、例えば、図９に示すように、固定ラベル部分１１６に取り付けられたままとなるように構成されている。固定ラベル１１６は、接着剤または他の積層手段によって容器１００に固定される。
【００１６】
［００２８］残留ラベル部分１１８ａ〜１１８ｃは、接着剤または他の積層手段によって固定ラベル１１６に固定され得る。取り外し可能ラベル部分１２０は、例えば、図８に示すように、ミシン目１３０ａ，１３０ｂによって残留ラベル部分１１８ａ〜１１８ｃに固定される。取り外し可能ラベル部分１２０は、別の態様では、接着強度が低い接着剤または感圧性接着剤を使用することによって固定ラベル１１６に固定され得る。取り外し可能ラベル部分１２０に関連して接着強度が低い接着剤が使用される場合には、取り外し可能ラベル部分１２０は、残留ラベル部分１１８ａ〜１１８ｃの１つ以上から打抜きによって分離され得る。
【００１７】
［００２９］取り外し可能ラベル部分１２０の第１側縁部１３２または第２側縁部１３４を掴み、取り外し可能ラベル部分１２０を第１側縁部１３２および第２側縁部１３４のうちの他方に向けて引っ張ることによって、取り外し可能ラベル部分１２０は固定ラベル１１６および残留ラベル部分１１８ａ〜１１８ｃから取り外される。取り外し可能ラベル部分１２０を引っ張ると、取り外し可能ラベル部分１２０が残留ラベル部分１１８ａ，１１８ｂから分離される。更に、残留ラベル部分１１８ｃが（残留ラベル部分１１８ａ，１１８ｂとともに）固定ラベル１１６に残される。取り外し可能ラベル部分１２０は、更に、ラベル部分１２０を漏斗１５６にする方法を使用者に知らせる書面指示を含んでいてもよい。取り外し可能ラベル部分１２０を取り外すことによって、固定ラベル１１６の第２側に形成された印が露出される。取り外し可能ラベル部分１２０もまた、固定ラベル１１６の第２側に形成された印と同様の印を備える。
【００１８】
［００３０］図８および図９を参照すると、取り外し可能ラベル部分１２０は、略直線状の上縁部１４０と、非直線状の下縁部１４２と、を備える。下縁部１４２は、略直線状の第１セグメント１４４と、第１セグメント１４４から延在する半円形の第２セグメント１４６と、第２セグメント１４６から斜めに延在する第３セグメント１４８と、を備える。半円形セグメント１４６は、直線状セグメント１４４と斜行セグメント１４８との間に配置されている。例示的な実施例では、図９でわかるように、半円形セグメント１４６は、下縁部１４２の約２０％ないし約５０％を形成する。取り外し可能ラベル部分１２０は、更に、角度をなしたミシン目線１４８を備える。このミシン目線１４８は、破られたときにスロット１５４を形成する。
【００１９】
［００３１］例示的な実施例では、ミシン目線１４２は、第１側縁部１３２から第２側縁部１３４に向かう方向に延びるに従って下方に角度をなしている。更に、取り外し可能ラベル部分１２０を固定ラベル１１６および残留ラベル部分１１８ａ〜１１８ｃから取り外した後、取り外し可能ラベル部分１２０は、第１側縁部１３２に沿って切欠１５０を有するように形成される。切欠１５０は、タブ１５２を形成する。タブ１５２は、取り外し可能ラベル部分１２０の下縁部１４２から間隔が隔てられている。例示的な実施例では、タブ１５２は、スロット１５４に挿入し易くするために下縁部１４２に隣接して形成されている。
【００２０】
［００３２］取り外し可能ラベル部分１２０を容器１００から取り外した後、使用者は、ミシン目線１４８を破り、図９ないし図１１でわかるように、角度をなしたミシン目線１４２と同じ角度で角度をなしたスロット１５４を形成する。随意であるが、ミシン目線１４２は、取り外し可能ラベル部分１２０を固定ラベル１１６から取り外す際に破られてもよい。その後、使用者は、図１０でわかるように、タブ１５２がスロット１５４に隣接するまで第２側縁部１３４を取り外し可能ラベル部分１２０の第１側縁部１３２に向けて丸める（すなわち、操作する）。図１１でわかるように、タブ１５２がスロット１５４に挿入され、取り外し可能ラベル部分１２０が、漏斗１５６を形成する丸められた形態に保持される。取り外し可能ラベル部分１２０の上縁部１４０は、漏斗１５６の上縁部すなわち入口１５５を形成する。この入口１５５を通って流体が注がれてもよい。漏斗姿勢では、第１側縁部１３２もまた、漏斗１５６の上縁部の部分を形成する。この位置では、第１側縁部１３２は、漏斗１５６の傾斜した側壁部分１５７を形成する。
【００２１】
［００３３］取り外し可能ラベル部分１２０の下縁部１４２は、漏斗１５６の下縁部を形成する。漏斗１５６の下縁部では、半円形第２セグメント１４６は出口１５９を形成し、この出口１５９を通って流体が容器１００に出ることができる。図１１でわかるように、流体を狭い開口部に注ぎ易くするために、漏斗１５６の第１端１６０は、漏斗１５６の第２端１６２よりも広い。取り外し可能ラベル部分１２０を丸めて漏斗１５６にする場合、直線状セグメント１４４は、第２側縁部１３４と略平行である。
【００２２】
［００３４］取り外し可能ラベル部分１２０の他の例示的な実施例を図１２に示す。この実施例では、取り外し可能ラベル部分１２０は、図１２の実施例のタブ１５２が取り外し可能ラベル部分１２０の隅部を使用することによって形成されている点を除き、図９ないし図１１の取り外し可能ラベル部分１２０と同様である。図９ないし図１１に示す取り外し可能ラベル部分１２０と同様の取り外し可能ラベル部分１２０の更に他の例示的な実施例を図１３に示す。図１３の取り外し可能ラベル部分１２０のタブ１５２は、２つの切欠１５０によって形成されている。例示的な実施例では、これらの切欠１５０は、スロット１５４に挿入できる第２タブ１５３を形成してもよい。タブおよびスロット１５４を示したが、タブ１５２をスロットに代えてもよく、または、スロット１５４をタブに代えてもよい。随意であるが、任意の数のタブおよび／またはスロットを使用してもよく、タブおよびスロットを接着剤と組み合わせて使用し、漏斗１５６を形成してもよい。容器２０の特定の実施例を示したが、本開示は、任意の容器で実施され得る。
【００２３】
［００３５］本明細書中に開示した固定部分、取り外し可能な部分、および、残留部分は、任意の適当な材料で形成されていてもよい。
【００２４】
［００３６］例示的な実施例では、固定ラベル１１６は、任意の永久的接着剤、半永久的接着剤、または、これらの組み合わせを使用して容器に取り付けられてもよい。残留ラベル部分１１８ａ〜１１８ｃは、固定ラベル１１６に取り付けられてもよく、あるいは、任意の永久的接着剤、半永久的接着剤、または、これらの組み合わせを使用して容器１００に直接的に取り付けられてもよい。取り外し可能ラベル部分１２０は、ミシン目１３０ａ，１３０ｂによって残留ラベル部分１１８ａ〜１１８ｃに固定されてもよく、あるいは、非永久接着剤、感圧性接着剤、半永久的接着剤、または、これらの組み合わせを使用して容器または固定ラベル１１６に取り付けられてもよい。これらの接着剤のうちの任意の接着剤は、水系接着剤、アクリル系接着剤、または、ゴムであってもよい。
【００２５】
［００３７］別の実施例では、取り外し可能ラベル１１７は、固定ラベル１１６に代えて、容器に直接的に接着または積層された残留ラベル部分１１８ａ〜１１８ｃを備えていてもよい。この実施例では、取り外し可能ラベル部分１２０を残留ラベル部分１１８ａ〜１１８ｃから分離して、漏斗１５６として使用できる。この実施例では、取り外し可能ラベル部分１２０は、取り外し可能ラベル部分１２０を容器１００に固定するために、接着剤を備えていてもよく、備えていなくてもよい。
【００２６】
［００３８］以上の説明を読むことにより、当業者には、本開示に対する多くの変更が明らかになるであろう。従って、以上の説明は、単なる例示であると解釈されるべきであり、当業者が可剥性ラベルを製造し、これを使用できるようにする目的で、これを実施する上での最良の態様を教示するために提示されたものである。
【符号の説明】
【００２７】
２０…容器
２２…本体
２４…前壁
２６…後壁
２８…ハンドル
３０…頂部
３２…キャップ
３４…可剥性ラベル
３６…固定ラベル
３８…取り外し可能ラベル
４０…第１面
４２…第２面
４４…円錐台形状漏斗
４６…剥離ライナ
４８…縁部
５０…シーリングテープ
９８…可剥性ラベル
１００…容器
１０２…本体
１０４…前壁
１０６…後壁
１０８…ハンドル
１１０…頂部
１１２…キャップ
１１６…固定ラベル
１１７…取り外し可能ラベル
１１８ａ，１１８Ｂ，１１８ｃ…残留ラベル部分
１２０…取り外し可能ラベル部分
１３０ａ…ミシン目
１３２…第１側縁部
１３４…第２側縁部
１４０…上縁部
１４２…ミシン目線（図８）
１４２…下縁部（図９）
１４４…第１セグメント（直線状セグメント）
１４６…第２セグメント（半円形セグメント）
１４８…ミシン目線（図８）
１４８…第３セグメント（斜行セグメント）（図９）
１５０…切欠
１５２…タブ
１５３…第２タブ
１５４…スロット
１５５…入口
１５６…漏斗
１５７…側壁部分
１５９…出口
１６０…第１端
１６２…第２端
【図１】
2015517680.tif 000003
【図２】
2015517680.tif 000004
【図３】
2015517680.tif 000005
【図４】
2015517680.tif 000006
【図５】
2015517680.tif 000007
【図６】
2015517680.tif 000008
【図７】
2015517680.tif 000009
【図８】
2015517680.tif 000010
【図９】
2015517680.tif 000011
【図１０】
2015517680.tif 000012
【図１１】
2015517680.tif 000013
【図１２】
2015517680.tif 000014
【図１３】
2015517680.tif 000015
【国際調査報告】
2015517680.tif 000016